(57)【要約】【課題】異なる方式の放送信号を受信する受信機において、受信信号の方式、例えばデジタル放送波信号であるかアナログ放送波信号であるかを迅速に判別する。【解決手段】第１の信号又は第２の信号のいずれかである受信信号を受信し、第１の信号のスペクトラムに適合する第１のフィルタと、第２の信号のスペクトラムに適合する第２のフィルタにより受信信号をフィルタリングする。受信信号が第１の信号であるか、第２の信号であるかに応じて、第１のフィルタと第２のフィルタの出力レベルの一致／不一致が決まるので、第１のフィルタと第２のフィルタの出力レベルに着目して、受信信号が第１の信号であるか第２の信号であるかを迅速に判別することができる。【選択図】　　　図１
2004064304.tif 000002
【特許請求の範囲】
【請求項１】
スペクトラムの異なる第１の信号又は第２の信号を受信して受信信号を出力する受信手段と、
前記受信信号をフィルタリングして第１のフィルタ信号を生成する第１のフィルタと、
前記受信信号をフィルタリングして第２のフィルタ信号を生成する第２のフィルタと、
前記第１のフィルタ信号のレベルと前記第２のフィルタ信号のレベルを比較して、前記受信信号が第１の信号であるか第２の信号であるかを判別する判別手段と、を備えることを特徴とする受信信号判別装置。
【請求項２】
前記第１及び第２のフィルタの一方は、前記第１のフィルタ信号及び第２のフィルタ信号が同一レベルを有するようにフィルタリングする特性を有し、
前記第１及び第２のフィルタの他方は、前記第１のフィルタ信号及び第２のフィルタ信号が異なるレベルを有するようにフィルタリングする特性を有することを特徴とする請求項１に記載の受信信号判別装置。
【請求項３】
前記第１の信号は所定幅の帯域を有するデジタル放送波信号であり、
前記第２の信号は複数のキャリア周波数を有するアナログ放送波信号であり、
前記第１のフィルタは前記所定幅の帯域を通過帯域とする特性を有し、
前記第２のフィルタは前記複数のキャリア周波数帯域を通過帯域とする特性を有し、
前記判別手段は、前記第１のフィルタ信号のレベルと前記第２のフィルタ信号のレベルが等しいときに前記受信信号を前記アナログ放送波信号であると判定し、前記第１のフィルタ信号のレベルと前記第２のフィルタ信号のレベルが異なるときに前記受信信号を前記デジタル放送波信号であると判定することを特徴とする請求項１に記載の受信信号判別装置。
【請求項４】
前記第１のフィルタは前記第１のデジタル放送波信号及び前記アナログ放送波信号の両方を実質的に減衰させることなく通過させる特性を有し、
前記第２のフィルタは前記デジタル放送波信号を減衰させて通過させ、前記アナログ放送波信号を実質的に減衰させることなく通過させる特性を有することを特徴とする請求項３に記載の受信信号判別装置。
【請求項５】
請求項１乃至４のいずれか一項に記載の受信信号判別装置と、
前記受信信号が第１の信号であると前記判別手段が判別した場合に、前記第１の信号を復調する復調手段と、
前記受信信号が第２の信号であると前記判別手段が判別した場合に、前記受信手段により異なる周波数の信号を受信させる周波数変更手段と、を備えることを特徴とする受信機。
【請求項６】
所定幅の帯域を有するデジタル放送波信号、及び、複数のキャリア周波数を有するアナログ放送波信号を受信して受信信号を出力する受信工程と、
前記所定幅の帯域を通過帯域とする第１のフィルタにより前記受信信号をフィルタリングして第１のフィルタ信号を生成する第１のフィルタリング工程と、
前記複数のキャリア周波数帯域を通過帯域とする第２のフィルタにより前記受信信号をフィルタリングして第２のフィルタ信号を生成する第２のフィルタリング工程と、
前記第１のフィルタ信号のレベルと前記第２のフィルタ信号のレベルを比較して、前記受信信号が前記デジタル放送波信号であるか前記アナログ放送波信号であるかを判別する判別工程と、を有し、
前記判別工程は、前記第１のフィルタ信号のレベルと前記第２のフィルタ信号のレベルが等しいときに前記受信信号を前記アナログ放送波信号であると判定し、前記第１のフィルタ信号のレベルと前記第２のフィルタ信号のレベルが異なるときに前記受信信号を前記デジタル放送波信号であると判定することを特徴とする受信信号判別方法。
【発明の詳細な説明】
【０００１】
【発明の属する技術分野】
本発明は、放送波のチャンネルシーク技術に関する。
【０００２】
【従来の技術】
従来、ＦＭ放送やアナログ地上波テレビジョン放送の受信機では、電界レベルの高い周波数を検出することで、チャンネルシークを行うのが一般的である。なお、チャンネルシークとは、周波数を変更して受信可能な放送チャンネルを探す処理である。
【０００３】
しかし、現行のアナログ地上波放送から地上波デジタル放送への移行期においては、デジタル放送波とアナログ放送波とが混在する状況が生じる。デジタル放送を受信するためには、まず電界レベルの高い周波数を受信する。電界レベルの高い周波数には、放送波が存在するわけであるが、それがアナログ放送波であるかデジタル放送波であるかは、電界レベルだけからは判別できない。例えば地上波デジタル放送波はＯＦＤＭ（Ｏｒｔｈｏｇｏｎａｌ　Ｆｒｅｑｕｅｎｃｙ　Ｄｉｖｉｓｉｏｎａｌ　Ｍｏｄｕｌａｔｉｏｎ）信号であるので、次にその受信信号に対してＯＦＤＭ相関がとれるか否かを判定する。ＯＦＤＭ相関がとれればその受信信号はデジタル放送波であり、ＯＦＤＭ相関がとれなければその受信信号はアナログ放送波であることがわかる。こうして、受信信号がデジタル放送であるか否かの判別がなされる。
【０００４】
【発明が解決しようとする課題】
しかし、電界レベルの高い周波数を検出する処理に比べ、ＯＦＤＭ相関をとる処理は長い処理時間を要する。よって、アナログ地上波放送と地上波デジタル放送とが混在する状況において、地上波デジタル放送のみを選択的に受信しようとした場合、電界レベルが高い周波数の全てに対して、ＯＦＤＭ相関がとれるか否かの判定処理を行う必要があり、その結果チャンネルシーク時間が長くなる。本発明が解決しようとする課題としては、このような問題が一例として挙げられる。
【０００５】
【課題を解決するための手段】
請求項１に記載の発明は、受信信号判別装置において、スペクトラムの異なる第１の信号又は第２の信号を受信して受信信号を出力する受信手段と、前記受信信号をフィルタリングして第１のフィルタ信号を生成する第１のフィルタと、前記受信信号をフィルタリングして第２のフィルタ信号を生成する第２のフィルタと、前記第１のフィルタ信号のレベルと前記第２のフィルタ信号のレベルを比較して、前記受信信号が第１の信号であるか第２の信号であるかを判別する判別手段と、を備えることを特徴とする。
【０００６】
請求項６に記載の発明は、受信信号判別方法において、所定幅の帯域を有するデジタル放送波信号、及び、複数のキャリア周波数を有するアナログ放送波信号を受信して受信信号を出力する受信工程と、前記所定幅の帯域を通過帯域とする第１のフィルタにより前記受信信号をフィルタリングして第１のフィルタ信号を生成する第１のフィルタリング工程と、前記複数のキャリア周波数帯域を通過帯域とする第２のフィルタにより前記受信信号をフィルタリングして第２のフィルタ信号を生成する第２のフィルタリング工程と、前記第１のフィルタ信号のレベルと前記第２のフィルタ信号のレベルを比較して、前記受信信号が前記デジタル放送波信号であるか前記アナログ放送波信号であるかを判別する判別工程と、を有し、前記判別工程は、前記第１のフィルタ信号のレベルと前記第２のフィルタ信号のレベルが等しいときに前記受信信号を前記アナログ放送波信号であると判定し、前記第１のフィルタ信号のレベルと前記第２のフィルタ信号のレベルが異なるときに前記受信信号を前記デジタル放送波信号であると判定することを特徴とする。
【０００７】
【発明の実施の形態】
次に、本発明の実施形態について図１を参照して説明する。図１は本発明の実施形態に係る受信信号判別装置及び受信機の構成ブロック図である。図１において、受信機１０は、受信信号判別装置８と、復調手段７とを備える。受信信号判別装置８は、第１のフィルタ１と、第２のフィルタ２と、判別手段５とを備える。
【０００８】
アンテナなどを介して受信機１０に入力される第１又は第２の信号は、第１のフィルタ１、第２のフィルタ２及び復調手段７に供給される。ここで、第１及び第２の信号は、スペクトラムが異なる信号であり、好適な例としては、デジタル放送波信号とアナログ放送波信号などとすることができるが、これらには限定されない。
【０００９】
第１のフィルタ１は、第１の信号のスペクトラムに適合し、第１の信号を抽出する特性を有する。また、第２のフィルタ２は、第２の信号のスペクトラムに適合し、第２の信号を抽出する特性を有する。例えば第１の信号が所定幅の帯域を有するデジタル放送波信号である場合、第１のフィルタ１はその所定幅の帯域を通過帯域とするフィルタ特性を有する。また、第２の信号が複数のキャリア周波数を有するアナログ放送波信号である場合、第２のフィルタ２はそれら複数のキャリア周波数帯域を通過帯域とするフィルタ特性を有する。
【００１０】
よって、受信機１０が受信した受信信号が第１の信号又は第２の信号である場合、第１のフィルタ１及び第２のフィルタ２によりその受信信号をフィルタリングした結果得られる信号のレベルは、受信信号が第１の信号であるか第２の信号であるかに応じて異なってくる。よって、判別手段７は、第１のフィルタ１から出力される第１のフィルタ信号と、第２のフィルタ２から出力される第２のフィルタ信号のレベルに基づいて、受信機１０が受信している受信信号が第１の信号であるか第２の信号であるかを判別することができる。
【００１１】
好ましくは、第１のフィルタ１又は第２のフィルタ２の一方は、第１の信号をフィルタリングした結果得られる第１のフィルタ信号のレベルと、第２の信号をフィルタリングした結果得られる第２のフィルタ信号のレベルとが同一となるようなフィルタ特性を有する。その一方、第１のフィルタ１又は第２のフィルタ２の他方は、第１の信号をフィルタリングした結果得られる第１のフィルタ信号のレベルと、第２の信号をフィルタリングした結果得られる第２のフィルタ信号のレベルとが異なるようなフィルタ特性を有する。これにより、判別手段５は第１のフィルタ信号及び第２のフィルタ信号のレベルに応じて、受信信号を容易に判別することができる。
【００１２】
また、受信信号判別装置８により、受信信号が第１の信号であると判別した場合、復調手段７はその第１の信号を復調する。例えば、受信信号がデジタル放送波信号であると判別された場合、復調手段７はそのデジタル放送波信号を復調して、デジタル放送を再生することができる。
【００１３】
このように、受信信号が第１の信号であるか第２の信号であるかの判別を、実際に第１の信号や第２の信号を復調することなく、それらを所定のフィルタでフィルタリングした結果信号のレベルに基づいて判別することができるので、受信信号を全て復調することにより受信信号の判別を行う場合と比較して、迅速かつ効率的に受信信号の判別を行うことができる。
【００１４】
【実施例】
以下、図面を参照して本発明の好適な実施例について説明する。
【００１５】
［放送波のスペクトラム］
図２に、デジタル放送波とアナログ放送波のスペクトラムを例示する。図２において、（Ａ＋１）チャンネルはデジタル放送波Ｗｄであり、それ以外のチャンネルはアナログ放送波Ｗａである。図示のように、デジタル放送波Ｗｄは、所定の帯域幅にわたってほぼ一定のレベルを有するスペクトラムを有する。一方、アナログ放送波Ｗａは、特定のキャリア周波数のみ（図２の例では２つのキャリア周波数）において高いレベルを示すスペクトラムを有している。即ち、デジタル放送波Ｗｄとアナログ放送波Ｗａとは、それらのスペクトラムの相違に着目して両者を区別することが可能である。
【００１６】
この点に着目して、デジタル放送波とアナログ放送波とを判別する方法の原理を図３に示す。図３は、受信機における、デジタル放送波とアナログ放送波の判別部分の構成を模式的に示している。図３において、アンテナ２１により受信された受信信号は、ミキサ２２により所定の中間周波数（ＩＦ）に変換され、デジタル波用フィルタ１１とアナログ波用フィルタ１２に供給される。デジタル波用フィルタ１１は、図２に示すデジタル放送波Ｗｄのスペクトラムに応じてデジタル放送波Ｗｄを抽出するように、所定の通過帯域幅を有する特性を有する。一方、アナログ波用フィルタ１２は、図２に示すアナログ放送波Ｗａに含まれる２つのキャリア周波数の信号を個別に通過させる特性を有している。
【００１７】
いま、アンテナ２１により受信した信号がアナログ放送波であったとする。図２に示すアナログ放送波Ｗａのスペクトラム及び図３に模式的に示す通過特性から理解されるように、デジタル波用フィルタ１１もアナログ波用フィルタ１２も、アナログ放送波の２つのキャリア周波数を通過させる特性を有するので、デジタル波用フィルタ１１から出力されるアナログ放送波の信号レベルＶｄと、アナログ波用フィルタ１２から出力されるアナログ放送波の信号レベルＶａとはほぼ等しく、両者の間にレベル差は生じない。
【００１８】
一方、アンテナ２１により受信した信号がデジタル放送波である場合、デジタル波用フィルタ１１はデジタル放送波をその全帯域に渡って通過させるため、デジタル波用フィルタ１１から出力されるデジタル放送波の信号レベルＶｄは高い。しかし、アナログ波用フィルタ１２は、アナログ放送波の特定のキャリア周波数部分のみを通過させる特性を有するため、デジタル放送波をその全ての帯域に渡って通過させることができない。その結果、図３に示すように、アナログ波用フィルタ１２から出力されるデジタル放送波の信号レベルＶａは、デジタル波用フィルタ１１から出力されるデジタル放送波の信号レベルＶｄより低くなり、両者の間にはレベル差が生じる。
【００１９】
よって、デジタル波用フィルタ１１の出力信号レベルと、アナログ波用フィルタ１２の出力信号レベルとを比較することにより、受信した信号がデジタル放送波であるか、アナログ放送波であるかを判別することができる。具体的には、デジタル波用フィルタ１１の出力レベルとアナログ波用フィルタ１２の出力レベルにレベル差がない場合には、その受信信号はアナログ放送波であると判断することができる。また、アナログ波用フィルタ１２の出力レベルがデジタル波用フィルタ１１の出力レベルより小さい場合には、その受信信号はデジタル放送波であると判断することができる。
【００２０】
［受信機］
次に、上述の原理を適用した実施例に係る受信機について説明する。図４は、受信機の概略構成を示すブロック図である。図４に示すように、受信機１００は、ミキサ２２と、局部発振器２３と、デジタル波用フィルタ１１と、アナログ波用フィルタ１２と、レベル検出回路１３及び１４と、レベル判定回路１５と、制御回路１６と、復調回路１７とを備える。
【００２１】
アンテナ２１により受信された信号は、受信機１００内のミキサ２２に供給される。ミキサ２２は局部発振器２３が発生する所定周波数の信号と、アンテナ２１からの受信信号に基づいて所定の中間周波数信号（ＩＦ信号）を生成してデジタル波用フィルタ１１及びアナログ波用フィルタ１２へ供給する。
【００２２】
デジタル波用フィルタ１１は、中間周波数信号ＩＦをフィルタリングして、その結果をレベル検出回路１３及び復調回路１７に供給する。レベル検出回路１３は、デジタル波用フィルタ１１によるフィルタリング後の信号レベルを検出し、レベル判定回路１５へ供給する。アナログ波用フィルタ１２は、中間周波数信号ＩＦをフィルタリングして、その結果をレベル検出回路１４へ供給する。レベル検出回路１４は、アナログ波用フィルタ１２によるフィルタリング後の信号レベルを検出し、レベル判定回路１５へ供給する。
【００２３】
レベル判定回路１５は、レベル検出回路１３からの信号レベルとレベル検出回路１４からの信号レベルとを比較し、その結果を制御回路１６に供給する。レベル判定回路１５の出力は、アンテナ２１で受信した信号がデジタル放送波であるかアナログ放送波であるかを示す信号となる。制御回路１６は、アンテナ２１で受信した信号がデジタル放送波であるかアナログ放送波であるかに応じて、局部発振器２３の発振周波数を制御する。また、制御回路１６は、アンテナ２１で受信した信号がデジタル放送波である場合に、復調回路１７によりデジタル放送波の復調処理を実行させる。復調回路１７はデジタル放送波の復調信号を出力する。例えばデジタル放送波がＯＦＤＭ信号である場合には、復調回路１７は受信した信号についてＯＦＭＤ相関をとり、相関信号に基づいてＯＦＭＤ復調を行い、デジタル放送の再生を行う。
【００２４】
図５は、図４に示した受信機の主要部を示すブロック図であり、具体的にはデジタル波用フィルタ１１、アナログ波用フィルタ１２、レベル検出回路１３及び１４、並びにレベル判定回路１５の部分を示している。デジタル波用フィルタ１１は図示のような通過特性１１ｆｃを有し、アナログ波用フィルタ１２は図示のような２つのキャリア周波数に対応する山型の通過特性１２ｆｃを有する。
【００２５】
レベル検出回路１３はコンデンサ１３ａ及びダイオード１３ｂにより構成され、デジタル波用フィルタ１１の出力信号レベルを電圧レベルＶｄとしてレベル判定回路１５へ出力する。また、レベル検出回路１４はコンデンサ１４ａ及びダイオード１４ｂにより構成され、アナログ波用フィルタ１２の出力信号レベルを電圧レベルＶａとしてレベル判定回路１５へ出力する。
【００２６】
レベル判定回路１５は、レベル検出回路１３から供給される電圧レベルＶｄと、レベル検出回路１４から供給される電圧レベルＶａとを比較する。図６（ａ）〜（ｄ）に電圧レベルＶａ及びＶｄの例を示す。アンテナ２１で受信している信号がアナログ放送波である場合、レベル検出回路１３から出力される電圧レベルＶｄは図６（ａ）に示すようになり、レベル検出回路１４から出力される電圧レベルＶａは図６（ｂ）に示すようになる。即ち、受信機１００がアナログ放送波を受信している場合、レベル検出回路１３及び１４から出力される電圧レベルＶｄとＶａはほぼ等しくなる。
【００２７】
一方、アンテナ２１で受信している信号がデジタル放送波である場合、レベル検出回路１３から出力される電圧レベルＶｄは図６（ｃ）に示すようになり、レベル検出回路１４から出力される電圧レベルＶａは図６（ｄ）に示すようになる。即ち、受信機１００がデジタル放送波を受信している場合、レベル検出回路１４から出力される電圧レベルＶａは、レベル検出回路１３から出力される電圧レベルＶｄより小さくなる。これは、アナログ波用フィルタ１２が、デジタル放送波をその全帯域に渡って通過させることができないために、フィルタリング後の信号レベルが低下するためである。
【００２８】
よって、レベル判定回路１５は、電圧レベルＶｄとＶａがほぼ等しい場合にはアナログ放送波を受信していると判定し、電圧レベルＶａが電圧レベルＶｄより小さい場合にはデジタル放送波を受信していると判定する。そして、デジタル放送波を受信していると判定された場合には、制御回路１６が復調回路１７を制御して、受信しているデジタル放送波の復調を行う。
【００２９】
［チャンネルシーク処理］
次に、本実施例の受信機１００によるチャンネルシーク処理について図７を参照して説明する。図７は、チャンネルシーク処理のフローチャートである。なお、この例では、受信機１００はアナログ放送とデジタル放送が混在している環境下で、デジタル放送波のみを選択して復調するものとする。
【００３０】
図７において、受信機１００は、周波数を変化させ、アンテナからの受信信号の電界レベルが高い周波数を検出する（ステップＳ１）。電界レベルの高い周波数が検出されると、その受信信号をデジタル波用フィルタ１１によりフィルタリングし（ステップＳ２）、デジタル波用フィルタ１１の出力信号に基づいて電圧レベルＶｄを検出する（ステップＳ３）。また、同様に、受信信号をアナログ波用フィルタ１２によりフィルタリングし（ステップＳ４）、アナログ波用フィルタ１２の出力信号に基づいて電圧レベルＶａを検出する（ステップＳ５）。
【００３１】
次に、レベル判定回路１５が、電圧レベルＶｄとＶａを比較する（ステップＳ６）。電圧レベルＶｄとＶａがほぼ等しくレベル差がない場合は、そのときに受信している放送波はアナログ放送波であるので、処理はステップＳ１に戻り、電界レベルの高い次の周波数を探す。一方、電圧レベルＶｄとＶａにレベル差がある場合、そのときに受信している放送波はデジタル放送波であるので、レベル判定回路１５はその旨を示す信号を制御回路１６に供給し、制御回路１６は復調回路１７を制御してデジタル放送波の復調処理を実行させ、その放送の受信を行う（ステップＳ７）。
【００３２】
このように、本実施例では、デジタル波用フィルタとアナログ波用フィルタの出力信号のレベルを相互に比較することにより、そのときに受信しているのがデジタル放送波であるかアナログ放送波であるかを判別することができる。よって、アナログ放送波に対してＯＦＤＭ相関の有無を判定してその信号がデジタル放送波であるか否かを判定する必要がないので、チャンネルシーク処理に要する時間を大幅に短縮することができる。
【００３３】
［変形例］
上記の実施例では、アナログ放送波とデジタル放送波を、それらのスペクトラムの相違に基づいて判別しているが、本発明の適用はこれには限定されない。即ち、アナログ放送波であるか、デジタル放送波であるかの別を問わず、スペクトラムが相互に異なる放送方式に適用することが可能である。その場合には、異なる２つの放送方式による放送波のスペクトラムに応じて２つのフィルタを用意し、一方のフィルタは２つの放送方式の放送波のいずれをフィルタリングしても同一の信号レベルを出力するような通過特性を有し、他方のフィルタは２つの放送方式の放送波に対して異なる信号レベルを出力するような通過特性を有するように、両フィルタを設計すればよい。
【００３４】
また、図４に示す受信機の例では、アンテナ２１による受信信号の第１次中間周波数信号に対してデジタル波用フィルタ１１及びアナログ波用フィルタ１２によるフィルタリングを行う構成としているが、これに限らず、第２次中間周波数信号やベースバンド信号に対して両フィルタによるフィルタリングを行って、放送波を区別するように構成することも可能である。
【００３５】
また、上記の実施例では、フィルタ、レベル検出回路、レベル比較回路などをアナログ回路として構成しているが、ＤＳＰ処理などにより復調が行われる系に対して本発明を適用する場合には、所定のプログラムによるソフトウェア処理によりフィルタリング、検波、レベル比較処理などを実行するように構成することも可能である。
【図面の簡単な説明】
【図１】本発明の好適な実施形態による受信信号判別装置の概略構成を示すブロック図である。
【図２】デジタル放送波とアナログ放送波のスペクトラムを例示する図である。
【図３】本発明の実施例による受信信号判別の原理を説明する図である。
【図４】本発明の実施例に係る受信機の構成を示すブロック図である。
【図５】図４に示す受信機の主要部の構成を示すブロック図である。
【図６】レベル検出回路から出力される電圧レベルの例を示す図である。
【図７】受信機によるチャンネルシーク処理を示すフローチャートである。
【符号の説明】
５　アンテナ
６　ミキサ
７　局部発振器
１１　デジタル波用フィルタ
１２　アナログ波用フィルタ
１３、１４　レベル検出回路
１５　レベル判定回路
１６　制御回路
１７　復調回路
１００　受信機
【図１】
2004064304.tif 000003
【図２】
2004064304.tif 000004
【図３】
2004064304.tif 000005
【図４】
2004064304.tif 000006
【図５】
2004064304.tif 000007
【図６】
2004064304.tif 000008
【図７】
2004064304.tif 000009